(57)【要約】      （修正有）【課題】美観及び質感を損ねないで、鞍の滑りを完全に防止する馬用ゼッケンを提供する。【解決手段】鞍の下に配置される馬用ゼッケン１００に於て、ゼッケン布地１ｂの鞍の下となる位置にこの鞍からはみ出さない大きさで滑り止め部２を形成する。この滑り止め部２は、例えば発泡インクをスクリーン印刷で印刷し、その後加熱発泡させて形成される。【選択図】図１
0003186727.tif 000002
【実用新案登録請求の範囲】
【請求項１】
鞍の下に配置される馬用ゼッケンに於て、
該ゼッケンの前記鞍の下となる位置にこの鞍にほぼ隠される大きさで滑り止め部を形成したことを特徴とする馬用ゼッケン。
【請求項２】
前記滑り止め部がスクリ−ン印刷で形成されていることを特徴とする請求項１に記載の馬用ゼッケン。
【請求項３】
前記滑り止め部が発泡インクで形成されていることを特徴とする請求項１又は請求項２に記載の馬用ゼッケン。
【請求項４】
前記インクが加熱により発泡することを特徴とする請求項３記載の馬用ゼッケン。
【請求項５】
前記インクがエチレン酢酸ビニール系樹脂であることを特徴とする請求項４に記載の馬用ゼッケン。
【請求項６】
前記滑り止め部がゼッケン本体とは別の部材にされており、該ゼッケン本体に取着されていることを特徴とする請求項１に記載の馬用ゼッケン。
【考案の詳細な説明】
【技術分野】
【０００１】
本考案は馬用ゼッケンに関し、特に、競争馬用ゼッケン、即ち馬番、馬名等を表示するために競走馬の背中に掛けられるゼッケンに適用して好適な馬用ゼッケンに関する。
【背景技術】
【０００２】
従来、馬用ゼッケンとしては、例えば特開平１−１１９２７６号公報に記載されたものが知られている（以下、「馬用ゼッケン」を「ゼッケン」と略して称す。）。これらゼッケンは、鞍の下に配置されるもので、競走馬の場合、布地の色でその競走の種類（重賞レースその他）が表わされ、表面に馬番、馬名等が表記される。
【０００３】
ゼッケンは馬の背に直に載せられる訳ではない。通常は、最初に発泡ウレタンの薄いシート、その上に毛布、その上にゼッケン、最後に鞍が載せられる。そしてこれらが腹帯で馬の背（胴）にしっかりと括り付けられる。
【０００４】
疾走中、特に競馬レース中の馬の動きは非常に激しい。この為、このように幾つものものが重ねられていると、走っている最中に位置がずれ、見栄えが悪くなる虞れがある。また鞍がずれた場合は危険でもある。
位置ずれはゼッケンのところで起きやすい。これは、一番見栄えが良いからという理由で、素材としてフェルト状のものが使用されており、この種のものは一般的に滑りやすいからである。
【０００５】
しかし滑り止め対策は、従来特には行なわれては来なかった。理由は二つあり、一つはその素材として一般的に使用されている不識布の裏がそれなりに滑りにくく、ゼッケン裏側に関して取り敢えずその性質が利用できたからである。
即ち、不識布はニードルパンチした糸を固定するために裏側に糊状の樹脂を塗布している。これがかなりの摩擦抵抗を示す。従ってゼッケン裏側とその下の毛布との間に関しては、これがある程度の滑り止めとして機能していた。
【０００６】
理由のもう一つは、ゼッケン表側に関し滑り止め対策がしにくかったからである。何故なら、特に競馬の場合顕著であるが、各馬は疾走中に、泥、埃、草などを激しく蹴り上げる。これらは、後や横を走る馬に向って飛んで行く。
仮にゼッケン表面に何らかの滑り止め剤等を吹き付けていたとする。そうすると、これら飛んで来るものが簡単にゼッケン表面に付着してしまう。それではゼッケンがうす汚くなってしまう。馬番、馬名なども見にくくなってしまう。
【０００７】
また、樹脂の吹き付け等は一般に布地の光沢を減殺する。これでは折角のゼッケン表側のフェルト状の風味、質感が損なわれてしまう。またゼッケンは、競走中騎手の膝で激しく擦られる。従って、若し滑り止め加工をしたならば、この激しい動きでゼッケンがたくし上げられてしまう心配もある。
【先行技術文献】
【特許文献】
【０００８】
【特許文献１】特開平０１−１１９２７６号公報
【特許文献２】実開平０１−１６８５２０号公報
【考案の概要】
【考案が解決しようとする課題】
【０００９】
このため従来のゼッケンには、落馬する程ではないものの未だ鞍が滑り易いという問題が残っており、従来は、これに対して、腹帯をしっかり締める、出走直前に再確認するなど、いわば現場が注意するという形で対処して来た。
本考案の目的は、これら従来の課題を解決し、その美観及び質感を損ねることなく滑りにくい馬用ゼッケンを実現することにある。
【課題を解決するための手段】
【００１０】
上記目的達成のため本考案では、鞍の下に配置される馬用ゼッケンの前記鞍の下となる位置にこの鞍にほぼ隠される大きさで滑り止め部を形成する。
また、前記滑り止め部をスクリ−ン印刷で形成する（請求項２）。
また、請求項１又は請求項２の滑り止め部を発泡インクで形成する（請求項３）。
また、前記インクを加熱により発泡させる（請求項４）。
また、前記インクをエチレン酢酸ビニール系樹脂とする（請求項５）。
また、前記滑り止め部をゼッケン本体とは別の部材とし、該ゼッケン本体に取着する（請求項６）。
【考案の効果】
【００１１】
本考案では、鞍の下に配置される馬用ゼッケンの、前記鞍の下となる位置に、この鞍にほぼ隠される大きさで滑り止め部を形成した。
このように、外部から殆んど見えない位置に滑り止め部を形成したことで、言わば馬用ゼッケンの使命である美観及び質感は損なわれない。その一方で、ゼッケン部分での滑り、即ちゼッケンと鞍との間での滑りは完全に阻止される。
従って、従来のように腹帯の締め付けや直前の確認に神経を使う必要は無い。鞍の滑りが一層起こりにくくなったので、騎乗も一層安全になる。
【００１２】
特に、請求項２〜請求項５に記載の構造で実施すれば、夫々に於て、一層安価で且つ完璧に滑り止め効果が発揮される馬用ゼッケンが実現出来る。
また、請求項６に記載の構造で実施すれば、その時々に合わせた臨機応変な滑り止め対策が出来る。例えば粘着剤を塗布したものを別に製作しておき、鞍の下面の状態に合わせて素材の異なる滑り止め部２を選んで貼着したり、天候、気温等に応じて素材の異なるものを選んで貼着したりすることも出来る。
【図面の簡単な説明】
【００１３】
【図１】本考案の実施の形態例の競走馬用ゼッケン１００を水平展開して示す展開図。
【図２】本考案の実施の形態例の競走馬用ゼッケン１００を馬の背中に掛けた状態で馬の左側から見て示す左側面図。
【考案を実施するための形態】
【００１４】
以下、本考案の詳細を図示実施の形態例に基いて説明する。図１に実施の形態例の競走馬用ゼッケン１００を水平展開して示す（「競走馬用ゼッケン」もゼッケンと略す）。このゼッケン１００の馬への装着方法は従来と同様である。即ち、先ず馬の背に発泡ウレタンの薄いシートを掛ける。その上に毛布を載せる。更にその上にこのゼッケン１００を掛ける。そして最後に鞍を載せ、その上から馬の胴に腹帯を巻き、これでゼッケン１００等を馬の胴に括り付ける。
【００１５】
ゼッケン１００は、図の左側が馬の頭側、右側が尻尾側である。色は、重賞レースその他、そのときの競走の種類に対応して、白、黒、緑、臙脂、紫紺の何れかにされる。素材は厚さ凡そ２mmのポリエステルのフェルト状不識布で、これを、中心線１ｅを基準にして左右対称に裁断して成る。
【００１６】
中心線１ｅは想像線であって実物には表示されないが、図示の如きハート形に少し似た形状から、この中心線１ｅの場所は容易に想定でき、これを背骨に合致させることで、ゼッケン１００は正しく馬の背の真ん中に掛かる。
図２は、このようにして馬の背に掛けたゼッケン１００を、馬の左側面から見て示したものである。馬の背中、肋骨、脇腹のかなり下までをこのゼッケン１００が覆う。下の毛布とウレタンシートは、このゼッケン１００の下に隠れる。
【００１７】
馬に掛けたとき下側に位置する左右の両端付近は布が２重にされている。図１では上側の破線１ｄから上端まで又は下側の破線１ｄから下端までの部分１ａが、図２では破線１ｄから下の部分１ａがこの２重部分であり、ここと同じ形に裁断された同じ不識布が、ここに重ねて縫い付けられている。
布を２重にすることで下端部分の重みが増し、馬が疾走しても風でゼッケン１００が煽られない。２重部分には、馬名４が表記される（「カチオー」は例示の為の架空馬名）。その上方には馬番３が表記される（ここでは番号は「５」）。
【００１８】
枠番、馬番はレース前日に決められる。従って、ゼッケン１００に付すべき馬名、馬番の関係もそれまでは定まらず、それ以前にゼッケンを準備しておくことは出来ない。そこで、この馬番、馬名が無い無地のゼッケンを事前に用意しておく。枠番と馬番が決まったところで、前記公報記載の手法等で、ゼッケン布地１ｂにこれらを付着し、図示の如きゼッケン１００とする。
具体的には、ポリプロピレン製の薄い転写用シートに、カッティングプロッタで馬番、馬名の切り抜きを行ない、これをゼッケン布地１ｂに当接し、剥離紙の上からアイロンで加熱押圧して、馬番３と馬名４とを表わす切り抜き部分をゼッケン布地１ｂに熱圧着する。
【００１９】
騎手が乗る鞍は、中心線１ｅの上、前端近くに置かれる。ゼッケン１００には、この鞍の下となる位置に、鞍の下に隠れる大きさの滑り止め部２が形成される。ここでは 200mm 四方の大きさである。
なお、なるべく大きい方が滑り止め効果が高い。従って厳密に鞍の下に隠れる大きさにする必要はなく、多少は鞍からはみ出しても構わない。滑り止め部２の色をゼッケンの布地１ｂと同一にすれば、このようにはみ出しても目立たない。
【００２０】
滑り止め部２は、発泡インクをゼッケン布地１ｂにスクリ−ン印刷することで形成される。ここでは、発泡インクとして大日精化工業株式会社（所在地：東大阪市西鴻池町）の New Dyfoam W-400 を使用した。
このインクはエチレン酢酸ビニール系のもので、加熱発泡型である。印刷後、炉に入れて所定条件で加熱して発泡させ布地１ｂに定着させる。これで、この上に載せられる鞍の下面との間で良好な滑り止め特性が発揮される。
【００２１】
具体例を示せば以下のとおりである。
New Dyfoam 400（発泡インク） 90％
ColorBase （着色剤） 5％
Emafix TX （架橋剤） 5％
上記割合の混合物を、60〜80 メッシュのスクリーンで滑り止め部２の位置に印刷する。次いで 60゜C〜70゜Cで予備乾燥を行ない、その後 120゜C〜130゜Cで60秒間、発泡の為の加熱処理を行なう。これで上述の良好な滑り止め部２が形成される。
【００２２】
なお、実験では、このインクが良好な滑り止め効果を発揮した。しかし、滑り止め効果さえあれば、他の手法でこの滑り止め部２を形成しても良い。例えば加熱発泡でなくても良い。エチレン酢酸ビニール系でなく他の種類の発泡インクであっても構わない。発泡インクの方が厚みがあり弾力があるので滑り止め効果が高いように感じられるが、これに限られる訳ではなく、ウレタン樹脂の液などをスクリーン印刷し滑り止め部２としても良い。
【００２３】
形成手法もスクリーン印刷に限らない。一旦転写紙に滑り止め部２となるべき素材を付着させ、これをゼッケン布地１ｂに押し付けて熱溶着等で転写するなどしても良い。塗料の如く吹き付けたり、ローラ、刷毛などで塗布しても構わない。
更には、滑り止め部２と同じ大きさの別部材とした滑り止めの素材、例えば上記発泡インクと同じ素材で形成したシートを別に用意しておき、これを前述の大きさ（200mm四方）に切断し、ゼッケン布地１ｂに接着するなり、縫い付けるなりして滑り止め部２としても良い。予め粘着剤を塗布しておき、これを剥離紙で覆っておいて、後で剥がして貼り付けるのも良い。
【符号の説明】
【００２４】
１ｂ  ゼッケン布地
２  滑り止め部
３  馬番
４  馬名
【図１】
0003186727.tif 000003
【図２】
0003186727.tif 000004